(57)【要約】【課題】  ふちなし印字のはみ出し領域のプラテン吸収体に堆積したインクによりプリントするメディアの裏面を汚すことを予防すること。【解決手段】  ふちなし印字によりプラテン吸収体に堆積したインクにより記録メディアの背面を汚す可能性がある時は警告を出し、交換が容易な特定サイズのメディアのはみ出し領域に対応したインク吸収体を個別に交換する。【選択図】  図１
2007118514.tif 000002
【特許請求の範囲】
【請求項１】
印字領域のプラテン上に設けられたインク吸収体において、特定のメディアサイズのふちなし印字時のはみ出し領域が、独立に取り外し可能であることを特徴とするプリンタ。
【請求項２】
上記［請求項１］のプリンタにおいて、印字するメディアサイズ以下のはみ出し領域のプラテン上の吸収体上への打ち込み量に応じて、ユーザーに特定のメディアのふちなし印字時のはみ出し領域の吸収体の交換を促すことで、プリント時に紙の裏がプラテンの吸収体に堆積したインクにより汚れるのを防ぐことを特徴としたプリンタの制御方法。
【発明の詳細な説明】
【技術分野】
【０００１】
プリンタにおけるインク吸収体上のインクの堆積除去に関する。
【背景技術】
【０００２】
インクジェットプリンタはふちなし印字を確実に行うために紙より少し外側の領域まではみ出して印字するためにプラテン上にインク吸収体を設けていた。従来は記録紙の性能が低く、プリンタの装置寿命までインク吸収体にインクが堆積して問題を起こすことは少なかった。しかしながら、記録紙の性能の向上と装置寿命の長期化に伴い、インク吸収体上のインクの堆積が問題として顕在化してきた。
【０００３】
上記問題に対して、特開平10-278299のようにキャップ内の予備吐出を打ち込み量を監視して警告するというのは先願にあったが、プラテン吸収体上のインク堆積をメディアサイズに応じて警告するという従来件は見られなかった。
【特許文献１】特開平10-278299号公報
【発明の開示】
【発明が解決しようとする課題】
【０００４】
ふちなし印字のはみ出し領域のプラテン吸収体に堆積したインクによりプリントするメディアの裏面を汚すことを予防すること。
【課題を解決するための手段】
【０００５】
特定のメディアサイズごとにはみ出し領域の打ち込み量をカウントして、プリント実行時にプリントするメディアのサイズ以下のはみ出し領域のインク吸収体の堆積の具合を判断して、ユーザーに警告して、交換可能な特定サイズのはみ出し領域のインク吸収体を交換する。
【発明の効果】
【０００６】
ふちなし印字を可能なプリンタにおいて、インクの堆積によるメディアの背面を汚すことなくプリンタを使えるようになる。
【発明を実施するための最良の形態】
【０００７】
まず構成について本発明の代表的な構成図（図１）、従来の構成図（図2）を用いて説明する。
【０００８】
図１、図2はプリンタのキャリッジユニット稼動部をプリンタ上方より見た図である。なお簡略化のために本発明に無関係な外装などのユニットは省いて書いてある。紙は図の上側にあるASF（オートシートフィーダ）から供給され、図１−４（図2-4も同様）の排紙ローラ（図１-4、図2−４）により図の下方に紙が送られる。そしてキャリッジユニット（図１-１、図2−１）上のプリントヘッドをキャリッジシャフトに沿って移動させながら、プリントを実行していく。そして1ページプリントし終えたならば、図の手前の排紙口にプリントした紙を吐き出す。これが基本的なプリントの流れである。
【０００９】
また同様に本発明で問題にしているプラテンの吸収体（図１−9、１０、１１、１２、図２−９）はふちなし印字などの時にプリンタが紙のサイズよりはみ出してプリントするので、そのはみ出した部分のインクの吐出を受けとめる時に使われるものである。とくに決まったサイズのふちなし印字を繰り返すと、決まった箇所にインクの吐出が繰り返され、インクの堆積が起こる可能性がある。従来例である図２ではこのプラテン吸収体は固定であるのでこのような堆積は起こりやすいが、図１の本発明の例では頻繁にふちなし印字が行われると想定される紙サイズのはみ出し領域に関しては交換可能な専用のプラテンインク吸収体（図１−１０、１１、１２）に吐出するので、プリンタでこの領域への打ち込み量を管理することで、ユーザーへのプラテン吸収体（図１−１０、１１、１２）の交換指示などによりインクの堆積による紙の裏面の汚れる弊害を避けることができるので、インク堆積に対処できる。
【００１０】
以上が従来の構成と本発明の構成との差異である。
【００１１】
次に本発明の代表的な制御例を図３を使って説明する。
【００１２】
本実施例では特定のメディアサイズとしてA3，A4，L1版を想定し、それぞれについてはみ出し領域のプラテン吸収体が交換可能であるものを想定している。
【００１３】
まずプリントに指示があったら（ステップ−S１）、それがふちなし印字かどうかを判断する（ステップ−S２）。本例ではふちなし印字以外ではそのままプリントを実行する（ステップ−S３）。次にメディアサイズがA3かどうかを判断する（ステップ−S４）。A3、A4、L版のはみ出し領域のインク吸収体がインク堆積してインクあふれが起こっていないか判断している（ステップ−S５）。あふれていなければ、これから印刷する際のはみ出し領域のドットカウント値を算出してプリンタに搭載した不揮発性メモリにドットカウント値を加算する（ステップ−S６）。一方、あふれている場合は、あふれているインク吸収体をユーザーに示して交換を促す（ステップ−S７）。このインク吸収体はプラテン吸収体とは別の部材であり、独立に容易に取り外し可能なものである（図１−１０）。吸収体が交換されたなら（ステップ−S８）、その吸収体に対応したドットカウント値をクリアして（ステップ−S１９）、プリントを実行する（ステップ−S３）。
【００１４】
次にメディアサイズがA４と判断された場合（ステップ−S９）、A4,L版のはみ出し領域のインク吸収体がインク堆積してインクあふれが起こっていないか判断している（ステップ−S１０）。あふれていなければ、これから印刷する際のはみ出し領域のドットカウント値を算出してプリンタに搭載した不揮発性メモリにドットカウント値を加算する（ステップ−S１１）。一方、あふれている場合は、あふれているインク吸収体をユーザーに示して交換を促す（ステップ−S１２）。このインク吸収体はプラテン吸収体とは別の部材であり、独立に容易に取り外し可能なものである（図１−１１）。次に吸収体が交換されたか判断する（ステップ−S１３）。吸収体が交換されたなら、その吸収体に対応したドットカウント値をクリアして（ステップ−S２０）、プリントを実行する（ステップ−S３）。
【００１５】
次にメディアサイズがL版と判断された場合（ステップ−S１４）、L版のはみ出し領域のインク吸収体がインク堆積してインクあふれが起こっていないか判断している（ステップ−S１５）。あふれていなければ、これから印刷する際のはみ出し領域のドットカウント値を算出してプリンタに搭載した不揮発性メモリにドットカウント値を加算する（ステップ−S１６）。一方、あふれている場合は、あふれているインク吸収体をユーザーに示して交換を促す（ステップ−S１７）。このインク吸収体はプラテン吸収体とは別の部材であり、独立に容易に取り外し可能なものである（図１−１２）。吸収体が交換されたなら、その吸収体に対応したドットカウント値をクリアして（ステップ−S２１）、プリントを実行する（ステップ−S３）。
【００１６】
最後にメディアのサイズがA3,A4,L版以外のときは通常に印字を実行する（ステップ−S３）。
【図面の簡単な説明】
【００１７】
【図１】本発明の代表的な構成図である。
【図２】従来の代表的な構成図である。
【図３】本発明の代表的な制御例を示すフローチャートである。
【符号の説明】
【００１８】
１  キャリッジユニット（プリントヘッドとインクタンクを搭載）
２  ヘッドメンテナンス機構
３  キャリッジシャフト
４  排紙ローラ
５  プラテン
６  排紙ローラシャフト
７  排紙ローラシャフトギア
８  予備吐出用吸収体
９  プラテン吸収体
１０  A3ふちなし印字はみだし領域用プラテン吸収体
１１  A４ふちなし印字はみだし領域用プラテン吸収体
１２  L版ふちなし印字はみだし領域用プラテン吸収体
ステップ−S１  プリンタにユーザからプリント指示があったかの判断
ステップ−S２  出された指示がふちなしプリントであったかの制御
ステップ−S３  プリントの実行をする制御
ステップ−S４  A3印字かの判断
ステップ−S５  A3,A4,L版のふちなし領域の吸収体があふれているのかの判断
ステップ−S６  A3のはみだし領域の打ち込み数をカウントしてプリンタに搭載された不揮発性メモリに保存されたA3はみだし領域のカウント数に加算する制御
ステップ−S７  あふれてる吸収体を示し、交換を促す制御
ステップ−S８  吸収体が交換されたかの判断
ステップ−S９  A４印字かの判断
ステップ−S１０  A4のふちなし領域の吸収体があふれているのかの判断
ステップ−S１１  A４のはみだし領域の打ち込み数をカウントしてプリンタに搭載された不揮発性メモリに保存されたA４はみだし領域のカウント数に加算する制御
ステップ−S１２  あふれてる吸収体を示し、交換を促す制御
ステップ−S１３  吸収体が交換されたかの判断
ステップ−S１４  L版印字かの判断
ステップ−S１５  L版のふちなし領域の吸収体があふれているのかの判断
ステップ−S１６  L版のはみだし領域の打ち込み数をカウントしてプリンタに搭載された不揮発性メモリに保存されたL版はみだし領域のカウント数に加算する制御
ステップ−S１７  あふれてる吸収体を示し、交換を促す制御
ステップ−S１８  吸収体が交換されたかの判断
ステップ−S１９  交換された吸収体に対するドットカウント値をクリア
ステップ−S２０  交換された吸収体に対するドットカウント値をクリア
ステップ−S２１  交換された吸収体に対するドットカウント値をクリア
【図１】
2007118514.tif 000003
【図２】
2007118514.tif 000004
【図３】
2007118514.tif 000005